(57)【要約】【課題】部品を保持する部品保持部を覆う保護シートを、簡単な構造で、粘着テープなどの接着剤を用いることなく断熱材に取り付けることのできる貯湯式給湯機を提供する。【解決手段】貯湯式給湯機の貯湯タンク断熱材は、第一溝５０２と第二溝５０４との間にあり、部品を保持する部品保持部５０３を備える。保護シート５１０は、凹凸形状のエッジを有する第一端部５１２と、Ｖ字状に折り曲げられる第一折り曲げ部５２５ａを介して第一端部５１２につながる第一挿入部５１３と、第一端部５１２の反対側にあり、凹凸形状のエッジを有する第二端部５１４と、Ｖ字状に折り曲げられる第二折り曲げ部５２６ａを介して第二端部５１４につながる第二挿入部５１５とを備える。第一端部５１２及び第一挿入部５１３が第一溝５０２に挿入し、第二端部５１４及び第二挿入部５１５が第二溝５０４に挿入することにより、保護シート５１０が断熱材に取り付けられている。【選択図】図４
2020012605.tif 000002
【特許請求の範囲】
【請求項１】
貯湯タンクと、
前記貯湯タンクを覆う断熱材と、
保護シートとを備え、
前記断熱材は、
第一溝と、
第二溝と、
前記第一溝と前記第二溝との間にあり、部品を保持する部品保持部とを備え、
前記保護シートは、
凹凸形状のエッジを有する第一端部と、
Ｖ字状に折り曲げられる第一折り曲げ部を介して前記第一端部につながる第一挿入部と、
前記第一端部の反対側にあり、凹凸形状のエッジを有する第二端部と、
Ｖ字状に折り曲げられる第二折り曲げ部を介して前記第二端部につながる第二挿入部とを備え、
前記第一端部及び前記第一挿入部が前記第一溝に挿入し、前記第二端部及び前記第二挿入部が前記第二溝に挿入することにより、前記保護シートが前記断熱材に取り付けられている貯湯式給湯機。
【請求項２】
前記第一端部及び前記第二端部の少なくとも一方の前記凹凸形状は、前記第一溝または前記第二溝の長手方向である第一方向に前記第一端部または前記第二端部を動かしたときの抵抗力と、前記第一方向とは反対の前記長手方向である第二方向に前記第一端部または前記第二端部を動かしたときの抵抗力とが異なる大きさとなる形状を有する請求項１に記載の貯湯式給湯機。
【請求項３】
前記抵抗力が小さくなる方向が前記保護シートに表示されている請求項２に記載の貯湯式給湯機。
【請求項４】
前記第一端部及び前記第二端部の双方の前記凹凸形状は、前記第一方向に動かしたときの前記抵抗力と、前記第二方向に動かしたときの前記抵抗力とが異なる大きさとなる形状を有し、
前記第一端部を動かしたときの前記抵抗力が小さくなる方向と、前記第二端部を動かしたときの前記抵抗力が小さくなる方向とが同じ方向である請求項２または請求項３に記載の貯湯式給湯機。
【請求項５】
前記断熱材から前記保護シートを取り外すときの持ち手となる取手が前記保護シートに一体に形成されている請求項１から請求項４のいずれか一項に記載の貯湯式給湯機。
【請求項６】
前記取手は、前記保護シートの前記取手以外の部分とは異なる色を有する請求項５に記載の貯湯式給湯機。
【請求項７】
前記保護シートの少なくとも一部が透明または半透明である請求項１から請求項６のいずれか一項に記載の貯湯式給湯機。
【請求項８】
前記断熱材に対する前記保護シートの着脱方向が前記保護シートに表示されている請求項１から請求項７のいずれか一項に記載の貯湯式給湯機。
【請求項９】
前記第一溝は、鉛直方向の位置が前記第二溝よりも高い位置にあり、
前記第一折り曲げ部は、前記第一端部が前記第一挿入部の下に位置するように折り曲げられている請求項１から請求項８のいずれか一項に記載の貯湯式給湯機。
【請求項１０】
前記第一溝は、鉛直方向の位置が前記第二溝よりも高い位置にあり、
前記第一溝は、長手方向の中央にある中央溝と、前記中央溝の両側にあり、鉛直方向の位置が前記中央溝よりも低い両側溝とを有し、
前記第一端部は、前記中央溝に挿入する中央端部と、前記両側溝に挿入する両側端部を有し、
前記第一折り曲げ部から前記中央端部の前記凹凸形状の先端までの距離が、前記第一折り曲げ部から前記両側端部の前記凹凸形状の先端までの距離よりも小さい請求項１から請求項９のいずれか一項に記載の貯湯式給湯機。
【請求項１１】
前記凹凸形状は、前記第一折り曲げ部及び前記第二折り曲げ部に達しないように形成されている請求項１から請求項１０のいずれか一項に記載の貯湯式給湯機。
【発明の詳細な説明】
【技術分野】
【０００１】
本発明は、貯湯式給湯機に関する。
【背景技術】
【０００２】
ヒートポンプなどの加熱手段により加熱された湯を貯湯タンクに貯え、貯湯タンクから取り出した湯を用いて、浴槽、シャワー、台所及び洗面所の蛇口などの給湯先に給湯する貯湯式給湯機が広く用いられている。貯湯タンクからの放熱ロスを抑制するため、貯湯タンクの周囲には例えば発泡ポリスチレンまたは発泡ポリウレタンなどの発泡成形断熱材が配置されている。
【０００３】
また、貯湯式給湯機の内部には、例えば、貯湯タンクの湯水を熱源機に移動させるためのポンプ、湯水の経路を変更する弁などの電気機器を動作させるための制御基板と、ポンプ及び弁などの電気機器と制御基板とを接続するリード線とが設けられている。各電気機器と制御基板とを接続するリード線は、通常、中継部を有しており、その中継部を固定する場所が必要となる。また、中継部に水が掛らないように防水構造を伴う必要がある。従来の仕様では、中継部用の板金と、リード線を固定するためのクランパと、水掛を防止する防滴カバーとなる薄いシート状のフィルムとが必要となる。中継部が複数ある場合には、クランパの点数も増加し、部品点数の増加と共に、組立作業効率が低下する。
【０００４】
それに対し、中継部の構造を簡略化する案として、発泡成形断熱材に中継部をクランプする構造を成形することが考えられる。発泡成形断熱材に成形した中継クランプ構造部にリード線の中継部をクランプし、その上に水等が掛らないように保護シート等を配置する。保護シートの固定にはテープ等を用いるのが一般的と考えられるが、組立時あるいは製品メンテナンス時のテープの貼付けのやり方、接着に関する規定、貼付け位置等を決定する必要があり、作業が非常に煩雑になる可能性がある。
【０００５】
特許文献１には、テープ等の接着材を用いることなくシート状のフィルムを展張支持するために、フィルムの表裏からフィルムを挟んで保持する保持治具と、フィルムとに、互いに嵌合する凹凸部を設ける構造が開示されている。
【先行技術文献】
【特許文献】
【０００６】
【特許文献１】特開平８−２０１９２０号公報
【発明の概要】
【発明が解決しようとする課題】
【０００７】
特許文献１のフィルム支持構造は、フィルムと保持治具の両方に、互いに嵌合する凹凸部を設けることが必要となり、どちらにも特殊な加工が必要となる。
【０００８】
本発明は、上述のような課題を解決するためになされたもので、部品を保持する部品保持部を覆う保護シートを、簡単な構造で、粘着テープなどの接着剤を用いることなく断熱材に取り付けることのできる貯湯式給湯機を提供することを目的とする。
【課題を解決するための手段】
【０００９】
本発明に係る貯湯式給湯機は、貯湯タンクと、貯湯タンクを覆う断熱材と、保護シートとを備え、断熱材は、第一溝と、第二溝と、第一溝と第二溝との間にあり、部品を保持する部品保持部とを備え、保護シートは、凹凸形状のエッジを有する第一端部と、Ｖ字状に折り曲げられる第一折り曲げ部を介して第一端部につながる第一挿入部と、第一端部の反対側にあり、凹凸形状のエッジを有する第二端部と、Ｖ字状に折り曲げられる第二折り曲げ部を介して第二端部につながる第二挿入部とを備え、第一端部及び第一挿入部が第一溝に挿入し、第二端部及び第二挿入部が第二溝に挿入することにより、保護シートが断熱材に取り付けられているものである。
【発明の効果】
【００１０】
本発明によれば、部品を保持する部品保持部を覆う保護シートを、簡単な構造で、粘着テープなどの接着剤を用いることなく断熱材に取り付けることが可能となる。
【図面の簡単な説明】
【００１１】
【図１】実施の形態１による貯湯式給湯機を示す斜視図である。
【図２】実施の形態１による貯湯式給湯機が備える溝構造部を示す斜視図である。
【図３】実施の形態１による貯湯式給湯機が備える保護シートの展開図である。
【図４】実施の形態１における溝構造部に対して保護シートを取り付ける前の状態を示す斜視図である。
【図５】実施の形態１における溝構造部に対して保護シートを取り付けた状態を示す斜視図である。
【発明を実施するための形態】
【００１２】
以下、図面を参照して実施の形態について説明する。各図において共通または対応する要素には、同一の符号を付して、重複する説明を簡略化または省略する。
【００１３】
実施の形態１．
図１は、実施の形態１による貯湯式給湯機１００を示す斜視図である。図１に示すように、本実施の形態の貯湯式給湯機１００は、ほぼ円筒状の形状を有する貯湯タンク２００と、上部断熱材３００，３０１，３０２と、下部断熱材４００と、前面断熱材５００と、背面断熱材６００とを備える。なお、貯湯式給湯機１００は、外郭ケースとなる筐体と、ポンプ及び弁などの電気機器と、この電気機器を制御する制御基板などをさらに備えているが、本開示では図示及び説明を省略する。貯湯式給湯機１００は、貯湯タンク２００の軸方向が鉛直線に平行となる姿勢で設置される。以下の説明では、貯湯式給湯機１００がそのような姿勢で設置された状態を基準として、各部の位置関係を特定する。
【００１４】
上部断熱材３００，３０１，３０２は、貯湯タンク２００の上部の鏡板部分を覆う。下部断熱材４００は、貯湯タンク２００の下部の鏡板部分を覆う。前面断熱材５００は、貯湯タンク２００の胴部の前面を覆う。背面断熱材６００は、貯湯タンク２００の胴部の背面を覆う。
【００１５】
図示の構成では、貯湯タンク２００と前面断熱材５００との間に、内部断熱材７００，７０１と、真空断熱材８００とがさらに配置される。上部断熱材３００，３０１，３０２、下部断熱材４００、前面断熱材５００、背面断熱材６００、及び内部断熱材７００，７０１は、例えば発泡ポリスチレンまたは発泡ポリウレタンなどの発泡プラスチックで作られた発泡成形断熱材に相当する。
【００１６】
前面断熱材５００は、部品を保持するための溝構造部５０１を有する。溝構造部５０１は、前面断熱材５００の外面に形成されている。本実施の形態では、前面断熱材５００に溝構造部５０１が形成されている例を説明するが、他の断熱材に同様の溝構造部を形成してもよい。
【００１７】
図２は、実施の形態１による貯湯式給湯機１００が備える溝構造部５０１を示す斜視図である。図２に示すように、溝構造部５０１は、第一溝５０２と、部品保持部５０３と、第二溝５０４と有している。部品保持部５０３は、凹部５０３ａと、凹部５０３ａの両側にある溝部５０３ｂ，５０３ｃとを有する。部品保持部５０３には、例えばリード線の中継コネクタのような電気部品（図示省略）が配置される。例えば中継コネクタの本体が凹部５０３ａ内に配置され、中継コネクタの本体につながるリード線が溝部５０３ｂ，５０３ｃ内に配置される。そのようにして、部品保持部５０３は、例えば中継コネクタのような電気部品を保持することができる。本実施の形態であれば、貯湯タンク２００を覆う断熱材（前面断熱材５００）に形成した部品保持部５０３によって電気部品を保持することができるので、電気部品を保持するための構造を簡素化することができる。
【００１８】
部品保持部５０３は、第一溝５０２と第二溝５０４との間にある。本実施の形態では、４つの部品保持部５０３が第一溝５０２と第二溝５０４との間に形成されている。このように、第一溝５０２と第二溝５０４との間に複数の部品保持部５０３を形成してもよいし、あるいは部品保持部５０３を一つのみ形成してもよい。
【００１９】
第一溝５０２は、鉛直方向の位置が第二溝５０４よりも高い位置にある。第一溝５０２及び第二溝５０４の長手方向は、水平方向に沿う。このような構成に限らず、例えば、第一溝５０２及び第二溝５０４の長手方向が鉛直方向に沿うようにしてもよい。
【００２０】
溝構造部５０１は、前面断熱材５００の他の部分の表面から隆起した台地状をなすように形成されている。溝構造部５０１は、正面５０１ａと、側面５０１ｂと、上部傾斜面５０１ｃと、下部傾斜面５０１ｄとを有する。第一溝５０２、部品保持部５０３、及び第二溝５０４は、それぞれ、正面５０１ａから陥没する凹部を形成している。側面５０１ｂは、正面５０１ａに対して垂直で、鉛直方向に沿う面である。第一溝５０２、部品保持部５０３、及び第二溝５０４は、それぞれ、一方の側面５０１ｂから反対側の側面５０１ｂまで貫通する溝として形成されている。上部傾斜面５０１ｃは、第一溝５０２の上にあり、正面５０１ａに対して傾斜した表面を形成している。下部傾斜面５０１ｄは、第二溝５０４の下にあり、正面５０１ａに対して傾斜した表面を形成している。なお、図示の構成に代えて、溝構造部５０１は、上部傾斜面５０１ｃ及び下部傾斜面５０１ｄのように傾斜した面を有しないものでもよい。
【００２１】
第一溝５０２は、両側溝５０２ａ，５０２ｂと、中央溝５０２ｃとを有する。中央溝５０２ｃは、第一溝５０２の長手方向の中央にある。両側溝５０２ａ，５０２ｂは、中央溝５０２ｃの両側にある。鉛直方向の位置に関して、両側溝５０２ａ，５０２ｂは、中央溝５０２ｃよりも低い位置にある。
【００２２】
第二溝５０４は、両側溝５０４ａ，５０４ｂと、中央溝５０４ｃとを有する。中央溝５０４ｃは、第二溝５０４の長手方向の中央にある。両側溝５０４ａ，５０４ｂは、中央溝５０４ｃの両側にある。鉛直方向の位置に関して、両側溝５０４ａ，５０４ｂは、中央溝５０４ｃよりも低い位置にある。
【００２３】
図３は、実施の形態１による貯湯式給湯機１００が備える保護シート５１０の展開図である。図３に示す保護シート５１０は、薄いシート状のフィルムで作られている。保護シート５１０は、部品保持部５０３を覆うようにして前面断熱材５００の溝構造部５０１に対して取り付けられる。貯湯式給湯機１００の内部では、例えば結露などによって水が発生する可能性があり、そのような水が溝構造部５０１に降り掛かる可能性がある。本実施の形態であれば、保護シート５１０が部品保持部５０３を覆うことで、水が溝構造部５０１に降り掛かった場合でも、部品保持部５０３に保持された電気部品を水から確実に保護することができる。
【００２４】
保護シート５１０は、矩形状の本体部５１１と、第一端部５１２と、第一挿入部５１３と、第二端部５１４と、第二挿入部５１５とを備える。本体部５１１は、部品保持部５０３を覆うための部分である。第一端部５１２は、凹凸形状のエッジを有する。第一挿入部５１３は、Ｖ字状に折り曲げ可能な第一折り曲げ部５２５ａを介して第一端部５１２につながる。第一挿入部５１３は、折り曲げ可能な折り曲げ部５２５ｂを介して本体部５１１につながる。第二端部５１４は、第一端部５１２の反対側にある。第二端部５１４は、凹凸形状のエッジを有する。第二挿入部５１５は、Ｖ字状に折り曲げ可能な第二折り曲げ部５２６ａを介して第二端部５１４につながる。第二挿入部５１５は、折り曲げ可能な折り曲げ部５２６ｂを介して本体部５１１につながる。本実施の形態の保護シート５１０の本体部５１１は、全体として長方形に近い形状を有しており、当該長方形の一方の短辺に沿うように第一端部５１２及び第一挿入部５１３が形成されており、当該長方形の他方の短辺に沿うように第二端部５１４及び第二挿入部５１５が形成されている。
【００２５】
図４は、実施の形態１における溝構造部５０１に対して保護シート５１０を取り付ける前の状態を示す斜視図である。図４に示すように、保護シート５１０を取り付ける際には、以下のようにする。第一折り曲げ部５２５ａをＶ字状に折り曲げる。折り曲げ部５２５ｂを９０°程度に折り曲げる。これにより、第一端部５１２及び第一挿入部５１３は、第一折り曲げ部５２５ａを先端として、本体部５１１に対して垂直な方向へ突出する。この突出した第一端部５１２及び第一挿入部５１３を第一溝５０２に挿入する。第二折り曲げ部５２６ａをＶ字状に折り曲げる。折り曲げ部５２６ｂを９０°程度に折り曲げる。これにより、第二端部５１４及び第二挿入部５１５は、第二折り曲げ部５２６ａを先端として、本体部５１１に対して垂直な方向へ突出する。この突出した第二端部５１４及び第二挿入部５１５を第二溝５０４に挿入する。
【００２６】
図５は、実施の形態１における溝構造部５０１に対して保護シート５１０を取り付けた状態を示す斜視図である。図５に示すように、第一端部５１２及び第一挿入部５１３が第一溝５０２に挿入し、第二端部５１４及び第二挿入部５１５が第二溝５０４に挿入することにより、保護シート５１０を前面断熱材５００の溝構造部５０１に対して取り付けることができる。
【００２７】
Ｖ字状に折り曲げられた第一折り曲げ部５２５ａが元の形状に戻ろうとする弾性力により、第一端部５１２及び第一挿入部５１３が第一溝５０２の内壁に押し付けられる。その結果、第一端部５１２及び第一挿入部５１３と、第一溝５０２の内壁との間の摩擦力が大きくなり、第一端部５１２及び第一挿入部５１３が第一溝５０２から抜けにくくなる。また、第一端部５１２の凹凸形状の尖形部が第一溝５０２の内壁に食い込むことにより、第一端部５１２及び第一挿入部５１３が第一溝５０２からさらに抜けにくくなる。
【００２８】
Ｖ字状に折り曲げられた第二折り曲げ部５２６ａが元の形状に戻ろうとする弾性力により、第二端部５１４及び第二挿入部５１５が第二溝５０４の内壁に押し付けられる。その結果、第二端部５１４及び第二挿入部５１５と、第二溝５０４の内壁との間の摩擦力が大きくなり、第二端部５１４及び第二挿入部５１５が第二溝５０４から抜けにくくなる。また、第二端部５１４の凹凸形状の尖形部が第二溝５０４の内壁に食い込むことにより、第二端部５１４及び第二挿入部５１５が第二溝５０４からさらに抜けにくくなる。
【００２９】
以上のようにして、本実施の形態であれば、例えば粘着テープのような接着剤などを用いることなく、保護シート５１０を前面断熱材５００の溝構造部５０１に対して取り付けることができる。よって、貯湯式給湯機１００の製造時あるいはメンテナンス時に保護シート５１０を着脱する作業を容易に行うことができるとともに、部品コストを低減できる。
【００３０】
保護シート５１０の少なくとも一部は、透明または半透明でもよい。例えば、部品保持部５０３を覆う本体部５１１の少なくとも一部が、透明または半透明でもよい。そのようにすることで、部品保持部５０３に保持された部品を保護シート５１０の外側から目視で確認することができる。よって、組立工程等でも部品の配置間違いなどに気付くことが可能であったり、メンテナンス作業者も保護シート５１０の内部を確認することができ、作業の効率化を図ることができる。
【００３１】
図５に示す状態から保護シート５１０を少なくとも部分的に取り外す場合には、以下のようにすることが望ましい。まず、第二端部５１４及び第二挿入部５１５を第二溝５０４の長手方向に沿って移動させる。そのように移動させると、第二端部５１４の凹凸形状の尖形部が、第二溝５０４の内壁に食い込みにくくなる。その結果、比較的小さい力で、第二端部５１４及び第二挿入部５１５を第二溝５０４から取り外すことができる。その後、第一端部５１２を支点として保護シート５１０を捲り上げることができる。
【００３２】
図３中の「第一方向」は、保護シート５１０を取り外すときに上記のようにして保護シート５１０を移動させる方向の例を示す。すなわち、第一方向は、第一溝５０２または第二溝５０４の長手方向に平行な方向である。図３中の「第二方向」は、第一溝５０２または第二溝５０４の長手方向に平行な方向であって、第一方向とは反対の方向である。
【００３３】
第二端部５１４の凹凸形状は、のこぎり刃形状になっている。第二端部５１４ののこぎり刃形状の尖形部は、第二方向に移動させたときには第二溝５０４の内壁に食い込みやすくなり、第一方向に移動させたときには第二溝５０４の内壁に食い込みにくくなる。よって、第二端部５１４を第二方向に移動させたときの抵抗力は、第二端部５１４を第一方向に動かしたときの抵抗力よりも大きくなる。これにより、以下の効果が得られる。保護シート５１０を取り外すときには、第二端部５１４を第一方向に動かすことにより、比較的小さい力で保護シート５１０を取り外すことができる。また、第二端部５１４を第二方向に移動させたときの抵抗力が、第二端部５１４を第一方向に動かしたときの抵抗力よりも大きくなることで、保護シート５１０を取り外す作業以外のときに保護シート５１０が外れてしまうことをより確実に防止することができる。
【００３４】
本実施の形態では、保護シート５１０を取り外すときの持ち手となる取手５２４が保護シート５１０に一体に形成されている。取手５２４は、第二端部５１４及び第二挿入部５１５に隣り合う位置に形成されている。第二端部５１４及び第二挿入部５１５と、取手５２４との間は、切り込み線５１６により隔てられている。取手５２４は、本体部５１１の角部に相当する位置に設けられている。取手５２４は、第二端部５１４及び第二挿入部５１５に対して、第一方向の側に隣り合うように配置されている。本実施の形態であれば、保護シート５１０を取り外すときに、作業者は、取手５２４を持つことで保護シート５１０を第一方向に容易に移動させることができる。その結果、保護シート５１０を取り外す作業がさらに容易になる。
【００３５】
取手５２４は、保護シート５１０の取手５２４以外の部分とは異なる色を有していてもよい。そのようにすることで、作業者は、取手５２４の位置をさらに容易に認識できる。
【００３６】
保護シート５１０を着脱するときの着脱方向が保護シート５１０に表示されていてもよい。例えば、第二端部５１４を動かしたときの抵抗力が小さくなる方向である第一方向を示す表示が、保護シート５１０の取手５２４に近い箇所に形成されていてもよい。また、保護シート５１０の上下方向を示す表示が保護シート５１０に形成されていてもよい。それらの表示を設けることで、作業者は、保護シート５１０の着脱作業をより容易に行うことができる。
【００３７】
第二端部５１４の凹凸形状は、のこぎり刃形状に限定されるものではない。第二端部５１４の長手方向を左右方向としたときに、第二端部５１４の凹凸形状が左右非対称な形状であれば、のこぎり刃形状以外の形状であっても、第一方向に動かしたときの抵抗力と第二方向に移動させたときの抵抗力とが異なる大きさになるようにすることが可能である。
【００３８】
第一端部５１２の凹凸形状は、山形刃の形状になっている。すなわち、第一端部５１２の長手方向を左右方向としたときに、第一端部５１２の凹凸形状は、左右対称な形状になっている。このため、第一端部５１２を第一方向に動かしたときの抵抗力は、第一端部５１２を第二方向に移動させたときの抵抗力に等しい大きさになる。
【００３９】
図示の構成に代えて、第一端部５１２を第一方向に動かしたときの抵抗力が、第一端部５１２を第二方向に移動させたときの抵抗力よりも小さくなるように第一端部５１２の凹凸形状を形成してもよい。その場合には、第一端部５１２を動かしたときの抵抗力が小さくなる方向と、第二端部５１４を動かしたときの抵抗力が小さくなる方向とが、同じ方向（第一方向）になるので、保護シート５１０を取り外す作業がさらに容易になる。
【００４０】
また、本実施の形態とは逆に、第一端部５１２を第一方向に動かしたときの抵抗力と第一端部５１２を第二方向に移動させたときの抵抗力とが異なる大きさになり、第二端部５１４を第一方向に動かしたときの抵抗力と第一端部５１２を第二方向に移動させたときの抵抗力とが等しい大きさになるように、第一端部５１２及び第二端部５１４の凹凸形状を形成してもよい。その場合であっても、本実施の形態に類似した効果が得られる。
【００４１】
図３に示すように、第一端部５１２の凹凸形状は、第一折り曲げ部５２５ａに達しないように形成されている。また、第二端部５１４の凹凸形状は、第二折り曲げ部５２６ａに達しないように形成されている。これにより、第一端部５１２及び第二端部５１４に十分な強度を付与することができるので、保護シート５１０を取り外す作業以外のときに保護シート５１０が外れてしまうことをより確実に防止できる。
【００４２】
第一端部５１２は、両側端部５２０と、中央端部５２１とを有する。両側端部５２０は、中央端部５２１の両側にある。中央端部５２１は、第一溝５０２のうちの中央溝５０２ｃに挿入する。両側端部５２０は、第一溝５０２のうちの両側溝５０２ａ，５０２ｂに挿入する。第一折り曲げ部５２５ａから中央端部５２１の凹凸形状の尖形部の先端までの距離は、第一折り曲げ部５２５ａから両側端部５２０の凹凸形状の尖形部の先端までの距離よりも小さい。これにより、以下の効果が得られる。中央端部５２１は、両側端部５２０に比べて、第一溝５０２の奥まで挿入しにくい場合がある。第一溝５０２に対する中央端部５２１の挿入深さが比較的浅かった場合でも、第一折り曲げ部５２５ａから中央端部５２１の凹凸形状の尖形部の先端までの距離が比較的小さいので、中央端部５２１の凹凸形状を第一溝５０２内に確実に収めることができる。その結果、中央端部５２１の凹凸形状の尖形部が第一溝５０２の内壁に対してより確実に食い込むようにすることが可能となる。
【００４３】
第二端部５１４は、両側端部５２２と、中央端部５２３とを有する。両側端部５２２は、中央端部５２３の両側にある。中央端部５２３は、第二溝５０４のうちの中央溝５０４ｃに挿入する。両側端部５２２は、第二溝５０４のうちの両側溝５０４ａ，５０４ｂに挿入する。第二折り曲げ部５２６ａから中央端部５２３の凹凸形状の尖形部の先端までの距離は、第二折り曲げ部５２６ａから両側端部５２２の凹凸形状の尖形部の先端までの距離よりも小さい。これにより、以下の効果が得られる。中央端部５２３は、両側端部５２２に比べて、第二溝５０４の奥まで挿入しにくい場合がある。第二溝５０４に対する中央端部５２３の挿入深さが比較的浅かった場合でも、第二折り曲げ部５２６ａから中央端部５２３の凹凸形状の尖形部の先端までの距離が比較的小さいので、中央端部５２３の凹凸形状を第二溝５０４内に確実に収めることができる。その結果、中央端部５２３の凹凸形状の尖形部が第二溝５０４の内壁に対してより確実に食い込むようにすることが可能となる。
【００４４】
図４に示すように、第一折り曲げ部５２５ａは、第一端部５１２が第一挿入部５１３の下に位置するように折り曲げられている。これにより、以下の効果が得られる。第一端部５１２が第一挿入部５１３の下に位置することで、中央端部５２１が、中央溝５０２ｃに食い込み易くなり、内壁に確実に食い込むようにすることが可能となる。逆に、第一端部５１２を第一挿入部５１３の上に位置するように折り曲げた場合、中央溝５０２ｃの上側に中央端部５２１が食い込みにくくなる可能性がある。
【００４５】
また、第二折り曲げ部５２６ａは、第二端部５１４が第二挿入部５１５の下に位置するように折り曲げられている。これにより、以下の効果が得られる。第二端部５１４が第二挿入部５１５の下に位置することで、第二端部５１４が重力により第二溝５０４の内壁に押し付けられやすくなる。その結果、第二端部５１４の凹凸形状の尖形部が第二溝５０４の内壁に対してより確実に食い込むようにすることが可能となる。
【符号の説明】
【００４６】
１００  貯湯式給湯機、  ２００  貯湯タンク、  ３００，３０１，３０２  上部断熱材、  ４００  下部断熱材、  ５００  前面断熱材、  ５０１  溝構造部、  ５０１ａ  正面、  ５０１ｂ  側面、  ５０１ｃ  上部傾斜面、  ５０１ｄ  下部傾斜面、  ５０２  第一溝、  ５０２ａ，５０２ｂ  両側溝、  ５０２ｃ  中央溝、  ５０３  部品保持部、  ５０３ａ  凹部、  ５０３ｂ，５０３ｃ  溝部、  ５０４  第二溝、  ５０４ａ，５０４ｂ  両側溝、  ５０４ｃ  中央溝、  ５１０  保護シート、  ５１１  本体部、  ５１２  第一端部、  ５１３  第一挿入部、  ５１４  第二端部、  ５１５  第二挿入部、  ５１６  切り込み線、  ５２０  両側端部、  ５２１  中央端部、  ５２２  両側端部、  ５２３  中央端部、  ５２４  取手、  ５２５ａ  第一折り曲げ部、  ５２５ｂ  折り曲げ部、  ５２６ａ  第二折り曲げ部、  ５２６ｂ  折り曲げ部、  ６００  背面断熱材、  ７００，７０１  内部断熱材、  ８００  真空断熱材
【図１】
2020012605.tif 000003
【図２】
2020012605.tif 000004
【図３】
2020012605.tif 000005
【図４】
2020012605.tif 000006
【図５】
2020012605.tif 000007